(57)【要約】【課題】電線束を好適に保持させることを可能としたワイヤハーネス用クリップを提供する。【解決手段】ワイヤハーネス用クリップ１０は、クリップ本体と、ワイヤハーネスの電線束を支持する支持部材１５とを備える。クリップ本体は、車両に係止されるクリップ部１１と、電線束Ｗを保持する保持部１２とを備える。保持部１２は、保持部本体１３と、保持部本体１３に設けられたバンド１４とを備える。支持部材１５は、保持部本体１３と電線束Ｗとの間に配置される。支持部材１５における電線束Ｗの径方向に沿った幅寸法Ｄ１は、保持部本体１３における電線束Ｗの径方向に沿った幅寸法Ｄ２よりも大きい。【選択図】図３
2018098909.tif 000002
【特許請求の範囲】
【請求項１】
ワイヤハーネスを車両に取り付ける用途に用いられるワイヤハーネス用クリップであって、
クリップ本体と、前記ワイヤハーネスの電線束を支持する支持部材とを備え、
前記クリップ本体は、前記車両に係止されるクリップ部と、前記電線束を保持する保持部とを備え、
前記保持部は、保持部本体と、前記保持部本体に設けられたバンドとを備え、
前記支持部材は、前記保持部本体と前記電線束との間に配置され、
前記支持部材における前記電線束の径方向に沿った幅寸法は、前記保持部本体における前記電線束の径方向に沿った幅寸法よりも大きいことを特徴とするワイヤハーネス用クリップ。
【請求項２】
請求項１に記載のワイヤハーネス用クリップにおいて、
前記支持部材は、並列して配置された複数の電線束を支持することを特徴とするワイヤハーネス用クリップ。
【請求項３】
請求項１又は請求項２に記載のワイヤハーネス用クリップにおいて、
前記支持部材は、前記バンドが挿通される挿通孔、及び前記バンドが挿入される凹部の少なくとも一方を有することを特徴とするワイヤハーネス用クリップ。
【発明の詳細な説明】
【技術分野】
【０００１】
本発明は、ワイヤハーネスを車両に取り付ける用途に用いられるワイヤハーネス用クリップに関する。
【背景技術】
【０００２】
ワイヤハーネスを車両に取り付ける際には、ワイヤハーネス用クリップが用いられている。例えば、特許文献１に開示されるように、ワイヤハーネス用クリップは、車両に係止されるクリップ部と、ワイヤハーネスの電線束を保持する保持部とを備えている。保持部は、保持部本体と、この保持部本体に設けられたバンドとを備えている。
【先行技術文献】
【特許文献】
【０００３】
【特許文献１】特開平０８−２７５３４６号公報
【発明の概要】
【発明が解決しようとする課題】
【０００４】
上記従来のワイヤハーネス用クリップにおいて、バンドが設けられた保持部本体の縁部分が電線束に食い込むことで、電線束に傷が生じたり、保持部に連結されているクリップ部が傾斜したりするおそれがある。このように、従来のワイヤハーネス用クリップにおいては、電線束を好適に保持するという観点で未だ改善の余地がある。
【０００５】
本発明は、上記課題を解決するためになされたものであって、その目的は、電線束を好適に保持させることを可能としたワイヤハーネス用クリップを提供することにある。
【課題を解決するための手段】
【０００６】
上記課題を解決するワイヤハーネス用クリップは、ワイヤハーネスを車両に取り付ける用途に用いられるワイヤハーネス用クリップであって、クリップ本体と、前記ワイヤハーネスの電線束を支持する支持部材とを備え、前記クリップ本体は、前記車両に係止されるクリップ部と、前記電線束を保持する保持部とを備え、前記保持部は、保持部本体と、前記保持部本体に設けられたバンドとを備え、前記支持部材は、前記保持部本体と前記電線束との間に配置され、前記支持部材における前記電線束の径方向に沿った幅寸法は、前記保持部本体における前記電線束の径方向に沿った幅寸法よりも大きい。
【０００７】
この構成によれば、電線束の径寸法や本数に応じた幅寸法を有する支持部材を保持部本体と電線束との間に配置することで、電線束に保持部本体が食い込むことを抑えることが可能となる。
【０００８】
上記ワイヤハーネス用クリップにおいて、前記支持部材は、並列して配置された複数の電線束を支持することが好ましい。
従来のワイヤハーネス用クリップに複数の電線束を保持させる場合、複数の電線束をバンドで締め付ける力のバランスが崩れ易く、クリップ部に対して複数の電線束が偏った位置に保持され易い。この点、上記のように複数の電線束を支持部材に支持させることで、複数の電線束をバンドによってバランスよく締め付けることができる。
【０００９】
上記ワイヤハーネス用クリップにおいて、前記支持部材は、前記バンドが挿通される挿通孔、及び前記バンドが挿入される凹部の少なくとも一方を有することが好ましい。
この構成によれば、例えば、支持部材の挿通孔に電線束に巻き付ける前のバンドを挿通させることで、支持部材をバンドに保持させることができる。このため、電線束にバンドを巻き付ける際に支持部材を所定の位置に合わせることが容易となる。また、支持部材の凹部にバンドを挿入することで、支持部材に対してバンドがずれることを抑えることができる。
【発明の効果】
【００１０】
本発明によれば、電線束を好適に保持させることが可能となる。
【図面の簡単な説明】
【００１１】
【図１】実施形態のワイヤハーネス用クリップを示す正面図である。
【図２】ワイヤハーネス用クリップの支持部材を示す斜視図である。
【図３】ワイヤハーネス用クリップの使用状態を示す部分断面図である。
【図４】変更例のワイヤハーネス用支持具の使用状態を示す部分断面図である。
【図５】変更例のワイヤハーネス用支持具の使用状態を示す部分断面図である。
【図６】（ａ）及び（ｂ）は、変更例の支持部材を示す斜視図である。
【発明を実施するための形態】
【００１２】
以下、ワイヤハーネス用クリップの実施形態について説明する。
ワイヤハーネス用クリップは、ワイヤハーネスを車両に取り付ける用途に用いられる。
図１〜図３に示すように、ワイヤハーネス用クリップ１０のクリップ本体は、車両に係止されるクリップ部１１と、ワイヤハーネスの一対の電線束Ｗ，Ｗを保持する保持部１２とを備えている。
【００１３】
クリップ部１１は、車両に取り付け可能な周知の形状のものを適用することができる。本実施形態のクリップ部１１は、車両のパネルＰの有する取付孔Ｈに係止する係止部１１ａと、パネルＰを係止部１１ａと挟み込む皿部１１ｂとを有している。
【００１４】
保持部１２は、保持部本体１３と、保持部本体１３に設けられたバンド１４とを備えている。本実施形態の保持部本体１３は、バンド１４が連結されたバンド連結部１３ａと、ワイヤハーネスの一対の電線束Ｗ，Ｗに巻き付けられたバンド１４が挿通されることでバンド１４を抜け止めする抜け止め部１３ｂとを有している。バンド１４を抜け止めする構造は、周知の構造を採用することができる。
【００１５】
図３に示すように、ワイヤハーネス用クリップ１０は、一対の電線束Ｗ，Ｗを支持する支持部材１５をさらに備えている。支持部材１５は、保持部本体１３と一対の電線束Ｗ，Ｗとの間に配置される。支持部材１５における電線束Ｗの径方向に沿った幅寸法Ｄ１は、保持部本体１３における電線束Ｗの径方向に沿った幅寸法Ｄ２よりも大きい。
【００１６】
詳述すると、支持部材１５の上面は、保持部本体１３に当接される。支持部材１５の下面は、並列して配置された一対の電線束Ｗ，Ｗを支持する支持面である。すなわち、支持部材１５の寸法は、並列して配置された一対の電線束Ｗ，Ｗのいずれにも当接される寸法に設定されている。なお、本実施形態の支持部材１５は、クリップ部１１と保持部本体１３とが連結される連結軸方向に対して直交する平坦状の支持面を有しているが、例えば、曲面状の支持面であってもよい。
【００１７】
支持部材１５は、第１バンド支持部１５ａ及び第２バンド支持部１５ｂを有している。本実施形態の第１バンド支持部１５ａは、バンド１４が挿通される挿通孔により構成され、第２バンド支持部１５ｂは、バンド１４が挿入される凹部により構成されている。支持部材１５で支持されたバンド１４の内周は、支持部材１５を省略した場合よりも拡がった状態となる。すなわち、支持部材１５は、一対の電線束Ｗ，Ｗに巻き付けられたバンド１４の内周を拡げて支持する第１バンド支持部１５ａ及び第２バンド支持部１５ｂを有している。このように支持部材１５は、バンド１４により挟持されている。
【００１８】
支持部材１５は、軽量化の観点から、ポリプロピレンやポリアミド等の樹脂材料から板状に形成されることが好ましい。
本実施形態のワイヤハーネス用クリップ１０を使用するには、まず、支持部材１５の第１バンド支持部１５ａ（挿通孔）にバンド１４を挿通させる。次に、一対の電線束Ｗ，Ｗに巻き付けたバンド１４を支持部材１５の第２バンド支持部１５ｂ（凹部）に挿入し、さらにそのバンド１４を保持部本体１３の抜け止め部１３ｂに挿入することで抜け止めさせる。このようにして支持部材１５を保持部本体１３と一対の電線束Ｗ，Ｗとの間に配置するとともに、一対の電線束Ｗ，Ｗを支持部材１５の支持面に支持させる。一対の電線束Ｗ，Ｗに取り付けたワイヤハーネス用クリップ１０は、クリップ部１１をパネルＰに係止することで、車両に取り付けることができる。
【００１９】
次に、本実施形態の作用効果について説明する。
（１）ワイヤハーネス用クリップ１０は、保持部本体１３と電線束Ｗとの間に配置され、電線束Ｗを支持する支持部材１５を備えている。支持部材１５における電線束Ｗの径方向に沿った幅寸法Ｄ１は、保持部本体１３における電線束Ｗの径方向に沿った幅寸法Ｄ２よりも大きい。
【００２０】
この構成によれば、電線束Ｗの径寸法や本数に応じた幅寸法Ｄ１を有する支持部材１５を保持部本体１３と電線束Ｗとの間に配置することで、電線束Ｗに保持部本体１３が食い込むことを抑えることが可能となる。従って、電線束Ｗを好適に保持させることが可能となる。
【００２１】
また、支持部材１５は、ワイヤハーネス用クリップ１０のクリップ本体と別体である。すなわち、既存のワイヤハーネス用クリップをクリップ本体として用いて、そのクリップ本体に支持部材１５を付加することで、上記の作用効果を得ることができるため、汎用性が高い。
【００２２】
（２）本実施形態のワイヤハーネス用クリップ１０における支持部材１５は、並列して配置された一対の電線束Ｗ，Ｗを支持している。この場合、一対の電線束Ｗ，Ｗをバンド１４によってバランスよく締め付けることができる。これにより、例えば、クリップ部１１に対して一対の電線束Ｗ，Ｗの位置がずれることを抑えることができる。従って、電線束Ｗ，Ｗを好適に保持させることが可能となる。
【００２３】
（３）第１バンド支持部１５ａは、バンド１４が挿通される挿通孔であるとともに、第２バンド支持部１５ｂは、バンド１４が挿入される凹部である。この場合、第１バンド支持部１５ａにバンド１４を挿通することで、バンド１４を支持部材１５に保持させることができる。このため、一対の電線束Ｗ，Ｗにバンド１４を巻き付ける際に支持部材１５を所定の位置に合わせることが容易となる。また、第２バンド支持部１５ｂにバンド１４を挿入することで、支持部材１５に対してバンド１４がずれることを抑えることができるため、バンド１４を巻き付ける作業を円滑に行うことができる。
【００２４】
また、第２バンド支持部１５ｂは、バンド１４が挿入される凹部であるため、例えば、外径寸法がより大きい電線束Ｗをバンド１４で巻き付ける場合であっても、バンド１４を凹部内に配置することが可能である。すなわち、電線束Ｗの外径について、所定の範囲内であれば、第２バンド支持部１５ｂの凹部は、バンド１４のずれを抑えることが可能となる。
【００２５】
（４）本実施形態のワイヤハーネス用クリップ１０の支持部材１５は、一対の電線束Ｗ，Ｗに巻き付けられたバンド１４の内周を拡げて支持する第１バンド支持部１５ａ及び第２バンド支持部１５ｂを有する。この場合、上述したようにバンド１４を締め付けた際に一対の電線束Ｗ，Ｗを支持部材１５に向けて押圧する方向に力が働き易くなるため、ワイヤハーネス用クリップ１０に一対の電線束Ｗ，Ｗをより安定して保持させることができる。
【００２６】
上記実施形態を次のように変更して構成してもよい。
・図４に示すように、ワイヤハーネス用クリップ１０には、１本の電線束Ｗを保持させることもできる。これより、上記（１）欄で述べた作用効果が得られる。なお、変更例のワイヤハーネス用クリップ１０では、支持部材１５における第１バンド支持部１５ａと第２バンド支持部１５ｂとの間隔は、電線束Ｗの径寸法より大きい。この場合、バンド１４を締め付けた際に電線束Ｗを支持部材１５に向けて押圧する方向に力が働き易くなるため、ワイヤハーネス用クリップ１０に１本の電線束Ｗをより安定して保持させることができる。
【００２７】
・図５に示すように、支持部材１５における第１バンド支持部１５ａと第２バンド支持部１５ｂとの間隔は、電線束Ｗの径寸法よりも小さく設定されてもよい。
・図５に示すように、支持部材１５の第１バンド支持部１５ａ及び第２バンド支持部１５ｂは、挿通孔及び凹部を省略したものであってもよい。
【００２８】
・図６（ａ）に示すように、支持部材１５の少なくとも一方のバンド支持部（例えば、第２バンド支持部１５ｂ）を凹部から構成するとともに、凹部の開口部を狭める方向に突出する突出部を有する構成に変更することもできる。この場合、バンド１４の挿入が挿通孔よりも容易となり、バンド１４が外れることを突出部により抑えることが可能となる。
【００２９】
・図６（ｂ）に示すように、第１バンド支持部１５ａ及び第２バンド支持部１５ｂのいずれも凹部から構成してもよいし、図示を省略するが、第１バンド支持部１５ａ及び第２バンド支持部１５ｂのいずれも挿通孔から構成してもよい。
【００３０】
・ワイヤハーネス用クリップ１０は、クリップ本体と、幅寸法Ｄ１の異なる複数の支持部材１５，１５とから構成されてもよい。すなわち、電線束Ｗの外径や本数に応じて、複数の支持部材１５，１５から一つの支持部材１５を選択して用いるようにしてもよい。
【００３１】
・結束部分が設けられたバンドを用いることで、保持部本体１３以外の部分でバンドが結束されるように構成してもよい。この場合、保持部本体１３については、バンドが抜け止めされずに挿通される挿通孔を有する保持部本体に変更することができる。
【００３２】
・ワイヤハーネス用クリップ１０を３本以上の電線束Ｗを保持するように変更してもよい。
上記実施形態及び変更例から把握できる技術的思想を以下に記載する。
【００３３】
（イ）ワイヤハーネスを車両に取り付ける用途に用いられるクリップ本体に取り付けられる支持部材であって、前記クリップ本体は、前記車両に係止されるクリップ部と、ワイヤハーネスの電線束を保持する保持部とを備え、前記保持部は、保持部本体と、前記保持部本体に設けられたバンドとを備え、前記支持部材は、前記保持部本体と前記電線束との間に配置され、前記支持部材における前記電線束の径方向に沿った幅寸法は、前記保持部本体における前記電線束の径方向に沿った幅寸法よりも大きいことを特徴とする支持部材。
【００３４】
（ロ）前記支持部材は、前記バンドが挿通される挿通孔から構成された第１バンド支持部と、前記バンドが挿入される凹部から構成された第２バンド支持部とを有する。
【符号の説明】
【００３５】
１０…ワイヤハーネス用クリップ、１１…クリップ部、１２…保持部、１３…保持部本体、１４…バンド、１５…支持部材、Ｄ１，Ｄ２…幅寸法、Ｗ…電線束。
【図１】
2018098909.tif 000003
【図２】
2018098909.tif 000004
【図３】
2018098909.tif 000005
【図４】
2018098909.tif 000006
【図５】
2018098909.tif 000007
【図６】
2018098909.tif 000008